(57)【特許請求の範囲】
【請求項１】
基端側を把持部とし先端側に塗布部を形成した接着剤などの粘稠物用の塗布ベラにおいて、把持部と塗布部との間に貫通孔を設けてその内側に可動板を配置し、可動板を貫通孔の周縁部に枢支させて外方への屈曲を可能となし、枢支部の近傍に屈曲した可動板の復帰を規制する係止部を設け、把持部を塗布部より重く形成した塗布ベラ。
【請求項２】
可動板を塗布部側又は把持部側で枢支させた請求項１に記載の塗布ベラ。
【請求項３】
把持部の中央部側の肉厚を他の部分より大きくした請求項１又は２に記載の塗布ベラ。
【請求項４】
把持部の左右の側縁部の肉厚を他の部分より大きくした請求項１又は２に記載の塗布ベラ。
【請求項５】
塗布部に塗布幅の異なる複数の塗布面を形成した請求項１、２、３又は４に記載の塗布ベラ。
【発明の詳細な説明】
【技術分野】
【０００１】
本発明は、基端側を把持部とし先端側に塗布部を形成した接着剤などの粘稠物用の塗布ベラに関するものである。
【背景技術】
【０００２】
この種の塗布ベラとしては、特許文献１に開示された接着剤用の塗布ベラが公知となっている。
この塗布ベラは、長尺の平板体の中央部から長手方向の両端に向って徐々に薄肉に形成され、両先端縁に鋸歯状の凹凸を形成して塗布部とする構成を採用したものである。
【０００３】
ところで、近時は、健康上の理由から非溶剤系の接着剤が盛用されるようになり、一液性の湿気硬化型の接着剤が注目されるようになって来た。
この接着剤は、湿気に触れると硬化が始まることになる。断続的に使用されることが多い家庭用の接着剤の場合は、一旦開封したチューブを長期間放置すると、接着剤の再使用が困難になり、あるいは、使用前に硬化した部分を除去する作業を余儀なくされるなどの不都合が生じることになる。
そのため、一旦開封した接着剤の使用期間が長期にわたらないように容量を小さくし、それを充填するチューブが小型化され、それに合わせて包装される塗布ベラも小型化してきた。
【０００４】
上述の公知のヘラは、長尺である場合はともかくとして、家庭用の小さい接着剤チューブに合わせて短くすると、これを手で把持した場合に鋸歯状の凹凸が掌側に向いてしまうから、塗布作業中に掌を傷めてしまうおそれがある。
また、接着剤を塗布した側を把持部に持ち替えると接着剤が手に付着するし、机の上に仮置きすると接着剤が机に付着してしまう不都合もある。
【先行技術文献】
【特許文献】
【０００５】
【特許文献１】特開平１１−８０６７５号公報
【発明の概要】
【発明が解決しようとする課題】
【０００６】
本発明は、基端側を把持部とし先端側に塗布部を形成した接着剤などの粘稠物用の塗布ベラにおいて、塗布作業中に塗布部に残留する粘稠物が手や机に付着しないようにすると共に、ヘラを仮置きできるようにすることを課題としたものである。
【課題を解決するための手段】
【０００７】
この技術的課題を解決するための第一の技術的手段は、イ）把持部と塗布部との間に貫通孔を設け、ロ）貫通孔の内側に可動板を配置し、ハ）可動板を貫通孔の周縁部に枢支させて外方への屈曲を可能となし、ニ）枢支部の近傍に屈曲した可動板の復帰を規制する係止部を設け、ホ）把持部を塗布部より重く形成したこと、である。
第二の技術的手段は、可動板を貫通孔の塗布部側又は把持部側に枢支させたことである。
第三の技術的手段は、把持部の中央部側の肉厚を他の部分より大きくしたことであり、第四の技術的手段は、把持部の左右の側縁部の肉厚を他の部分より大きくしたことである。
また、第五の技術的手段は、塗布部に塗布幅の異なる複数の塗布面を形成したことである。
【０００８】
第一の技術的手段では、把持部と塗布部との間に貫通孔が設けられていて、その内側に可動板が配置されている。可動板は、外方、すなわちヘラ面の外側への屈曲を可能として枢支されているから、これを押圧すると可動板の自由端側がヘラの外側へ突出することになる。
可動板を枢支させた部位の近傍には、屈曲した可動板の復帰を規制する係止部が設けられているから、可動板はヘラから突出させ、係止部に係止させることによってその位置を維持することが可能となる。
把持部は塗布部より重く形成されているから、突出させた可動板を下側にして机などの上にヘラをおくと、可動板の自由端を支点としてヘラの塗布部を斜め上向きにした状態を形成することになる（図４参照）。
したがって、ヘラ使用時や仮置きをする場合に、塗布している粘稠物が手や机に付着することはない。
【０００９】
可動板の形状は、枢支される可動板を円滑に屈曲できて、ヘラをおいた時にこれを支えられるものであればよく、その形状は問わない。
なお、可動板は、ヘラの一方の面側へのみ突出させてもよいし、双方の面へ突出させられるようにしておいてもよい。
屈曲して係止部に係止させた可動板は、反対側から押すことに容易に係止状態を解除することができる。
【００１０】
第二の技術的手段は、可動板を貫通孔の塗布部側又は把持部側で枢支させられているから、前者では可動板の自由端側は把持部に向かい、後者では自由端側は塗布部側に向かうことになる。指先の使い方が若干相違するが、双方ともヘラの支持を安定させることができる利点がある。
【００１１】
第三の技術的手段では、上記把持部の中央部側の肉厚が他の部分より大きく構成されているから、可動板を突出させない状態でヘラを机の上に仮置きした場合であっても、中央部側の肉厚の高さ分だけ塗布部と机との間の隙間を大きくすることができる。したがって、塗布部に付着残留している粘稠物を机から離すことができる。
しかも、その高さでヘラを浮かせた状態となるため、仮置きしたヘラを指先で摘むことが容易となる。
【００１２】
第四の技術的手段では、把持部の左右の側縁部（図１では下縁部と上縁部がこれに相当する位置関係となる）の肉厚が他の部分より大きく構成されているから、この場合もヘラを机の上に仮置きした場合に、中央部側の肉厚の高さ分だけ塗布部と机との間の隙間を大きくすることができる（図３参照）。
しかも、把持部の外縁の肉厚が大きくなって外側面が幅広の平面となるから、仮置きヘラを指先で摘み易くなるし、把持部の側縁部の平面を机に当接させるとヘラを直立させた状態で仮置きすることも可能となる（図１参照）。ヘラを直立させた状態で仮置きしておくと、次の塗布作業を円滑に行なえる利点がある。
【００１３】
第五の技術的手段では、塗布部に塗布幅の異なる複数の塗布面を形成しているから、塗布幅に対応した塗布作業を行なえる利点がある。
塗布面は、ヘラの先端側を三角状に形成し、二つの傾斜縁を塗布面として利用することができるし、さらに尖端をわずかに切除して小さな塗布面を追加形成することもできる。
【発明の効果】
【００１４】
接着剤などの粘稠物の塗布作業中に塗布部に残留する粘稠物が手や机に付着しないようにしてヘラを仮置きできる結果、塗布作業を円滑に行なえると共に塗布環境をきれいに保てる利点がある。
可動板は塗布作業時のみ突出させることができるから、粘稠物を包装する際には一枚のヘラ片として包装でき、従来通りの包装形態を維持できる利点もある。
【図面の簡単な説明】
【００１５】
【図１】机上に直立させた塗布ベラの正面図
【図２】可動板の屈曲を示す要部拡大断面図
【図３】ヘラの一方の面を机上に置いた状態の中央断面図
【図４】可動板を突出させた状態の説明図
【図５】他の実施例における可動板を突出させた状態の説明図
【発明を実施するための形態】
【００１６】
塗布ベラ１は、プラスチックで形成してあり、長さ約７５mm、幅約１７mm、厚さ約２mmの大きさとなっている。把持部２の左右の側縁部３、３は約５mmの肉厚に形成している。塗布部５は、先端部の左側面側（図１の下側面側）を長い傾斜縁で形成して広幅の塗布面６とし、右側面側（図１の上側面側）を短い傾斜縁で構成して細幅の塗布面７とし、三角状の尖端を垂直状に切断して点付け面８を形成している。
【００１７】
本実施例では、把持部２と塗布部５の間には六角形の貫通孔１０が形成してあって、その中に可動板としての略台形状の板体１１を位置させている。
図２（ａ）（ｂ）に示したように、この実施例では、板体１１は、左右に配置した薄肉の連結片１２、１２を介して貫通孔１０の先端側（塗布部側）に一体的に形成してあり、その間に舌片１３を突出させ、板体１１の他端側は自由端となっている（ａ参照）。したがって、板体１１を指で押すことによってその自由端はヘラ１の外側へ突出させられる（ｂ参照）。
【００１８】
連結片１２、１２の取付部の内側には、貫通孔１０の周壁から係止部１４、１４が上下ほうこうに突設してあり、連結片１２を屈曲させると舌片１３が係止部１４に係合し、板体１１の屈曲状態が維持されるようにしている。
なお、この実施例では貫通孔１０、連結片１２、１２及び板体１１を一体に成形しているが、適宜分断させて別体に形成し、組み付けるようにしてもよい。
【００１９】
図３は、ヘラ面をそのまま机１５の上に置いたヘラ１の状態を示したものである。この状態では、端部の厚さが机１５とヘラの塗布面２との間に隙間が形成される。
また、板体１１を突出させた状態で机１５上にヘラ１を置くと、把持部２は側縁部を厚肉に形成したことによって塗布部５より重くなっているから、図４に示したように、ヘラ１は把持部２の基端縁を机１５に接触させ、塗布部５を斜め上に向けた状態で仮置きされることになる。
【００２０】
なお、図５は、把持部側に枢支させた板体１１を屈曲させた場合を示したものである。机１５の上にヘラ１を置くと、板体１１は把持部２側に位置してヘラ１を支えるから、板体１１の突出長さを短くなっても塗布部５と机１５との間の隙間を大きく形成することができる。
【符号の説明】
【００２１】
１ヘラ、  ２ヘラの把持部、  ３把持部の厚肉周部、  ５塗布部、  ６広幅塗布面、  ７細幅塗布面、  ８点付け（塗布）面、  １０貫通孔、  １１可動板としての板体、  １２連結片、  １３舌片、  １４屈曲時における舌片の係止部、  １５机
【図１】
0005401207.tif 000002
【図２】
0005401207.tif 000003
【図３】
0005401207.tif 000004
【図４】
0005401207.tif 000005
【図５】
0005401207.tif 000006